(57)【要約】【課題】自動車の追突事故等で出火した際や天ぷら鍋の油に火がついた際等に自動的に消火剤を噴射して消火する自動消火装置を提供する。【解決手段】ボンベ１１の先端部に開閉弁１２と噴射口１３とを備え、開閉弁１２を押圧することにより消火剤を噴射する消火器１を設ける。開閉弁１２の先端側にエアマット２４を介装して重錘２２を摺動自在に設けると共にバネ２３で重錘２２を常時開閉弁１２側へ押圧させる。一端をエアマット２４のバルブ２５に接続した導火線３を設け、導火線に着火することにより、バルブ２５を開いてエアマット内の空気を排出させ、バネ２３の作用で重錘２２を摺動して開閉弁１２を押圧し、消火剤を噴射させる。これにより、火災が発生すると導火線に着火するので、消火剤が自動的に噴射する。【選択図】  図２
2005046570.tif 000002
【特許請求の範囲】
【請求項１】
消火器と、押圧作動器、及び導火線とを備えた自動消化装置であって、
前記消火器は、消火剤を封入したボンベの先端部に開閉弁と噴射口とを備え、前記開閉弁を押圧することにより消火剤を噴射するように構成され、
前記押圧作動器は、基端を前記ボンベの先端部に固定して設けた案内枠体と、この案内枠体に軸方向へ摺動自在に収容して設けた重錘と、この重錘を常時前記ボンベ側へ押圧するバネ、及び浮き輪状に形成されていると共に内部に空気が圧入され、前記開閉弁と重錘との間に介装して設けたエアマットとを備え、
前記導火線は、一端を前記エアマットの所定部に接続して設けてあり、
前記導火線に着火することにより、エアマット内の空気を外部へ排出させるように構成され、前記エアマット内の空気の排出により前記バネの作用で前記重錘が摺動して前記開閉弁を押圧するように構成したことを特徴とする、
自動消火装置。
【請求項２】
前記エアマットはバルブを備え、前記導火線は一端を前記バルブに接続して設けてあり、前記導火線の燃焼位置が前記バルブに達した時、バルブを開いてエアマット内の空気を外部へ排出させるように構成したことを特徴とする、請求項１記載の自動消火装置。
【請求項３】
前記導火線は一端をエアマットに接続して設けてあり、前記導火線の燃焼位置が前記エアマットに達した時、エアマットの前記導火線との接続部位を溶解する等により開口させ、エアマット内の空気を外部へ排出させるように構成したことを特徴とする、請求項１記載の自動消火装置。
【請求項４】
自動消火装置は自動車のエンジン収納部に設置して使用するように構成したことを特徴とする、請求項１ないし請求項３のいずれか１項に記載の自動消火装置。
【請求項５】
自動消火装置は厨房に設置して使用するように構成されていることを特徴とする、請求項１ないし３のいずれか１項に記載の自動消火装置。
【発明の詳細な説明】
【技術分野】
【０００１】  本発明は、自動消火装置に関する。さらに詳しくは消火器と、押圧作動器、及び導火線とを備え、導火線に着火することにより消火剤を自動的に噴射して消火する自動消火装置に関する。本発明の自動消火装置は、例えば自動車や厨房等に設置して使用し、或いは山火事や家屋等の火災が発生した際等に、投下する等により使用するのに適している。
【背景技術】
【０００２】  例えば、自動車が衝突し、或いは追突された際にはエンジン部より出火することがある。しかしながら衝突或いは追突された時、そのショックによって運転者等は失神状態になることがあり、このような時には自力で車外に脱出できないので火災によって死亡事故になることがある。【０００３】  上記問題を解消する目的で本発明者は自動車のエンジン収納部に設定して使用する自動車の衝撃自動消火装置を開発した。この自動消火装置は、消火剤を封入したボンベの先端部に開閉弁と噴射口とを有し、開閉弁を押圧することにより消火剤を噴射するように構成した消火器と、この消火器を作動する押圧作動器とを備えている。前記作動器はボンベの先端部に固定して設けた案内枠体と、この枠体内に軸方向へ摺動自在に収容した重錘と、この重錘をボンベ側へ押圧するバネ、及びバルブを有していると共に前記開閉弁と重錘との間に介装して設けたエアマットとを備えている。
そして、エアマットのバルブは自動車に取付けた衝撃センサからの信号及び自動車の運転席に配置した操作ボタンの操作により開いてエアマット内の空気を外部へ排出させるように構成され、前記空気の排出によりバネの作用で重錘が摺動して開閉弁を押圧するように構成したものである（特許文献１参照）。【０００４】  上記自動消火装置によれば、自動車が追突或いは衝突して衝撃を受ける時に自動的に消火剤をエンジンに向けて噴射するので出火を未然に防止できると共に、何らかの原因により消火器が作用しないときは運転席からも操作できるので、火災による死亡事故を防止できる。【０００５】  しかしながら、上記自動消火装置には次のような点において問題を有している。（１）自動車が衝突或いは追突された時、そのショックによって運転者等は失神状態になることがあると共に、衝撃を受けた際に消火器が作用しない場合がある。このような時は運転者は自力で車外に脱出できないので火災によって死亡事故になる場合がある。（２）自動車が追突や衝突事故を起こした際においても出火しない場合がある。また、追突等の事故の程度によっては消火器を作用させる必要がない場合がある。しかるに、上記自動消火装置は追突等の衝撃を検知して消火器を作用させるように構成してあるため、消火の必要性がない場合においても消火剤を噴射することが生じる。例えば、軽い追突や衝突の際には、エンジンに向けて消火剤を噴射すると、かえってマイナスな場合がある。【０００６】  また、例えば、厨房で天ぷらを揚げている際に、天ぷら鍋の油に火がつくことがある。従来は耐火性のシートなどを天ぷら鍋に被せたり、或いは消火器を使用して消火していた。このように、そばに人間が居る時には消火することが可能であるが、時には天ぷら作業中に調理現場を離れることもある。そして、このようなときに運悪く天ぷら鍋の油に火がついた場合には、即、火災になる危険性があった。しかるに、上記のような時に自動的に消火するのに適した自動消火装置は未だ提案されていないのが現状である。
【特許文献１】特公昭５８−４８２０７号公報
【発明の開示】
【発明が解決しようとする課題】
【０００７】  本発明は上記のような実情に鑑み、自動車の追突事故等で出火した際、或いは天ぷら作業中に現場から離れている際等に、天ぷら鍋の油に火がついた場合等に自動的に作用して消火剤を噴射して消火できる自動消火装置を提供することを目的とする。
【課題を解決するための手段】
【０００８】  上記目的を達成するため、本発明は、消火器と、押圧作動器、及び導火線とを備えた自動消火装置であって、前記消火器は、消火剤を封入したボンベの先端部に開閉弁と噴射口とを備え、前記開閉弁を押圧することにより消火剤を噴射するように構成され、前記押圧作動器は、基端を前記ボンベの先端部に固定して設けた案内枠体と、この案内枠体に軸方向へ摺動自在に収容して設けた重錘と、この重錘を常時前記ボンベ側へ押圧するバネ、及び浮き輪状に形成されていると共に内部に空気が圧入され、前記開閉弁と重錘との間に介装して設けたエアマットとを備え、前記導火線は、一端を前記エアマットの所定部に接続して設けてあり、前記導火線に着火することにより、エアマット内の空気を外部へ排出させるように構成され、前記エアマット内の空気の排出により前記バネの作用で前記重錘が摺動して前記開閉弁を押圧するように構成したことを特徴とする。【０００９】  本発明においては、前記エアマットはバルブを備え、前記導火線は一端を前記バルブに接続して設け、前記導火線の燃焼位置が前記バルブに達した時、バルブを開いてエアマット内の空気を外部へ排出させるように構成することができる。【００１０】  また、本発明においては、前記導火線は一端を前記エアマットに接続して設け、前記導火線の燃焼位置が前記エアマットに達した時、エアマットの前記導火線との接続部位を溶解して開口させてエアマット内の空気を外部へ排出させるように構成することもできる。【００１１】  本発明の自動消火装置は例えば自動車のエンジン収容部に設置して使用するように構成し、或いは厨房に設置して使用するように構成することができる。或いはまた、任意の場所へ取り外し可能に設置し、或いは保管し、山火事や家屋等の火災が発生した際等に投下して使用するように構成することもできる。
【発明の効果】
【００１２】  本発明によれば、導火線に着火することにより、エアマット内の空気を外部へ排出してバネの作用で重錘を押圧して摺動し、この重錘により開閉弁を押圧するように構成したので、バネで押圧された重錘は、その自重により勢い良くはずみをつけて移動し、開閉弁に強く衝当するので開閉弁の押圧操作を確実に行なって消火剤を噴射させることができる。【００１３】  したがって、本発明の自動消火装置を例えば自動車のエンジン収納部に設置して使用することにより、追突や衝突事故等でエンジン等から出火した際には消火剤を自動的に噴射して消火することができる。また、上述した従来の衝撃式の自動消火装置と異なり、エンジン等から出火して火災が発生しない場合等、消火の必要性がないときは消火器を作用（消火剤の噴射）するのを防止できる。【００１４】  また、本発明の自動消火装置を厨房の適当部位に設置して使用することにより、例えば天ぷら鍋の油に火がついて燃え上がったときは、消火剤を自動的に噴射する。したがって、天ぷら作業中に調理現場から離れて無人状態になったときに鍋の油が燃え上がった場合等においても自動的に消火することができる。【００１５】  さらにまた、本発明の自動消火装置を任意の場所へ取り外し可能に設置し、或いは保管しておき、家屋等の火災や山火事等が発生した際には、投げ入れたり投下することにより、消火作業に貢献することができる。
【発明を実施するための最良の形態】
【００１６】  以下、図面を参照して本発明を実施するための最良の形態の一例を説明する。図１は本発明の自動消火装置の最良の一実施の形態（実施の形態１）を示す縦断面図、図２は同上消火装置の一部を拡大して示す縦断面図（Ａ）、及び作動状態を示す説明図（Ｂ）である。【００１７】  これら図１〜図２において、この実施の形態１の自動消火装置は、消火器１と、押圧作動器２、及び導火線３とを備えてなっている。【００１８】  消火器１は、消火剤を封入したボンベ１１の先端部に開閉弁１２と噴射口１３とを備え、開閉弁１２を押圧することにより噴射口１３からボンベ１１内の消火剤を噴射するように構成されている。また、実施の形態１ではボンベ１１を耐火性シート材１４で全体的に被覆してある。このシート材１４は消火剤の噴射が終了するまでの間に、ボンベ１１内の消火剤が過熱によって変質するのを防止するためのもので、所望に応じて設ける。【００１９】  前記押圧作動器２は、基端をボンベ１１の先端部に設けた蓋体１５に固定して設けた案内枠体２１と、この案内枠体２１内に軸方向（ボンベ１１の開閉弁１２と接近離反する方向）へ摺動自在に収容して設けた重錘２２と、この重錘２２を常時ボンベ１１側、即ち、前記開閉弁１２側へ押圧するバネ２３、及びエアマット２４とを備えている。エアマット２４はゴムや合成ゴム等の弾性素材で浮き輪状に形成されていると共に内部に空気が圧入され、開閉弁１２と重錘２２との間に介装して設けてある。これにより、重錘２２はエアマット２４により開閉弁１２方向への動きを規制されている。【００２０】  また、前記エアマット２４はバルブ２５を備え、前記バルブ２５を開くことによりエアマット２４内の空気を外部へ排出させるように構成してある。そして、エアマット２４内の空気を排出させることにより、バネ２３の押圧作用で重錘２２を摺動させ、開閉弁１２を押圧して噴射口１３より消火剤を噴射させるように構成されている。なお、実施の形態１では自動消火装置の適当部（図示では案内枠体２１の外周面）にアラーム２６を設け、このアラーム２６を消火器の作用と連動させて作動（警報を鳴らす）させるように構成してある。即ち、重錘２２が摺動して開閉杆１２を押圧したとき、消火剤を噴射させと共にアラーム２６を鳴らすように構成してある。前記アラーム２６は所望に応じて設ける。【００２１】  前記導火線３は所望の長さに形成され、一端をエアマット２４の適当部に接続して設け、導火線に着火することにより、エアマット２４内の空気を外部へ排出させるように構成する。この実施の形態１では、前記導火線３の一端をバルブ２５に接続して設け、導火線３の燃焼位置がバルブ２５に達した時、バルブ２５を開いてエアマット２４内の空気を外部へ排出させるように構成してある。【００２２】  上記構成により、導火線３に着火し、前記線３の燃焼位置がバルブ２５に達すると、バルブ２５は開かれてエアマット２４内の空気を外部へ排出してバネ作用で重錘２２を押圧摺動し、この重錘により開閉弁を押圧して消火剤を噴射口１３から噴射（図２Ｂ参照）して消火する。なお、実施の形態１では、導火線３の一端をバルブ２５に接続して設けた例を図示したが、導火線３は一端をエアマット２４���適当部に接続して設け、導火線３の燃焼位置がエアマット２４に達した時、エアマットの導火線との接続部位を溶解する等により開口させ、エアマット内の空気を外部へ排出させる構成等を採用してもよい。要は導火線に着火することにより、エアマット内の空気を外部へ排出させるように構成すればよいものである。【００２３】  実施の形態１の自動消火装置は上記のように構成したもので、次に前記自動消火装置の使用方法の一例につき説明する。【００２４】  図３は前記自動消火装置を自動車に設置して使用する一例を示す説明図である。図３において、３１は自動車、３２はエンジン収納部３３に設置したエンジンを示す。この使用例（使用例１）では、自動消火装置をエンジン収納部３３内に、消火器１の噴射口１３をエンジン３２側に向け、適当な手段で消火器１を固定して設置したものである。【００２５】  使用例１によれば、自動車が追突や衝突事故等でエンジン３２から出火した際には、導火線３に着火するので、消火剤をエンジン３２に向けて自動的に噴射して消火することができる。また、アラームがなって報知する。【００２６】  図４は前記自動消火装置を厨房に設置して使用する一例を示す説明図である。図４において、４１は厨房、４２はガスコンロ、４３は天ぷら鍋、４４は壁、４５は天井を示す。この使用例（使用例２）では、消火器１の噴射口１３をコンロ４２側に向け、適当な取付具４６で消火器１を天井４５に固定して設置したものである。【００２７】  使用例２によれば、天ぷら鍋の油に火がついて燃え上がったときは、燃焼炎等により導火線３に着火するので、消火剤を天ぷら鍋４３に向けて自動的に噴射して消火することができる。また、アラームがなって報知する。なお、使用例２においては、厨房４１に前記自動消火装置を複数個設置して使用することができる。そして、前記各消火装置の導火線３は長さがそれぞれ異なるものを採用し、導火線３に着火してから燃焼位置がバルブ２５に達するまでの時間に差を設け、各消火装置の消火剤の噴射のタイミングを変えて噴射させるように構成することもできる。【００２８】  図５は本発明の自動消火装置の他の最良の実施の形態（実施の形態２）を示す縦断面図である。この自動消火装置において、実施の形態１で既に説明した構成と共通する部材には同一の符号を付し、説明を省略する。実施の形態２は消火器１Ａのボンベ１１Ａの形状に特徴がある。【００２９】  即ち、実施の形態１の消火器１のボンベ１１はほゞ円筒状に形成してあるが、実施の形態２では、消火器１Ａのボンベ１１Ａとして、ほゞ球形状に形成したものを採用している。他の構成は実施の形態１と同様である。なお、実施の形態２の自動消火装置はアラーム２６を設けていない。【００３０】  実施の形態２の自動消火装置は上記のように構成したものである。この実施の形態２の自動消火装置も導火線３に着火することにより、実施の形態１と全く同様に作用して噴射口１３から消火剤を自動的に噴射する。実施の形態２は任意の場所へ取り外し可能に設置し、或いは保管し、例えば、家屋等の火災や山火事等が発生した際に、投げ入れたり投下して消火作業を行なう際に使用するのに特に適している。
【産業上の利用可能性】
【００３１】  本発明は、例えば自動車用や厨房用等の自動消火装置、或いは山火事や家屋等の火災が発生した際に投げ入れたり投下して消火作業を行なうのに適している。
【図面の簡単な説明】
【００３２】
【図１】本発明の自動消火装置の一実施の形態を示す縦断面図である。
【図２】同上消火装置の一部を拡大して示す縦断面図（Ａ）、及び作動状態を示す説明図（Ｂ）である。
【図３】同上消火装置を自動車に設置して使用する一例を示す説明図である。
【図４】同上消火装置を厨房に設置して使用する一例を示す説明図である。
【図５】本発明の自動消火装置の他の実施の形態を示す縦断面図である。
【符号の説明】
【００３３】１    消火器
３    導火線
１１  ボンベ
１２  開閉弁
１３  噴射口
２２  重錘
２３  バネ
２４  エアマット
２５  バルブ
【図１】
2005046570.tif 000003
【図２】
2005046570.tif 000004
【図３】
2005046570.tif 000005
【図４】
2005046570.tif 000006
【図５】
2005046570.tif 000007